(57)【要約】【課題】紙容器の底部４４を加熱しやすく、しかもかしめ部４７に熱が伝わりにくくする加温什器用アダプタを提供する。【解決手段】伝熱部と嵌合部で構成され、伝熱部は第一の円形状を有する底部５１と、第二の円形状を有する上部５２とで構成されている。嵌合部は前記伝熱部の第二の円形状を有する上部の側面に設けられた第一の嵌合部５３と第二の嵌合部５４とで構成されている。伝熱部を構成する第一の円形状を有する底部５１が熱板１６と接し、第二の円形状を有する上部５２が紙容器の底部４４に接している。【選択図】図５
2015006241.tif 000002
【特許請求の範囲】
【請求項１】
紙容器入りの飲料を熱板で暖める加温什器装置内で用いる加温什器用アダプタであって、
伝熱部と嵌合部で構成され、
伝熱部は第一の円形状を有する底部と、第二の円形状を有する上部とで構成され、底部が熱板と接し、上部が紙容器の底材に接し、
嵌合部は前記伝熱部の第二の円形状を有する上部の側面に設けられた第一の嵌合部と第二の嵌合部とで構成され、
更に前記第一の嵌合部と第二の嵌合部は段差をもって設けられ、紙容器の底部に嵌合し、且つ断熱性を有することを特徴とする加温什器用アダプタ。
【発明の詳細な説明】
【技術分野】
【０００１】
缶や紙容器入りの飲料を販売する際に、販売店に設置して商品を暖めながら陳列しておくための、加温什器装置内で用いる加温什器用アダプタに関するものである。
【背景技術】
【０００２】
図１はコンビニエンスストアなどで陳列・設置されている缶や紙容器入りの飲料を加熱するための加温什器装置の一例を示す図である。図１に示される加温什器装置は、天板４と、電源回路などを内蔵した制御部２と、正面部５、一対の側面部６、背面部７とで囲んだケーシング１である。内部には、熱板１６〜１８が、傾斜して設置され、この上に並べた缶は、熱板１６〜１８によって加熱され、周囲から、中の缶が見えるよう大部分は透明になっている。そして、背面部７には、図示していないが、缶を補給するためのドアがあり、正面部５は、一対のドア３１ａ、３１ｂからなり、取っ手３０ａ、３０ｂを引いてこれらのドア３１ａ、３１ｂを開けて、商品を取り出す。
【先行技術文献】
【特許文献】
【０００３】
【特許文献１】実用登録第３０１４３６０号公報
【特許文献２】特開２００２−２４８０３４号公報
【特許文献３】特開２００９−１７６号公報
【発明の概要】
【発明が解決しようとする課題】
【０００４】
図１に示される加温什器装置は一般的に金属缶や紙容器を加熱することために容器底部がのる部分（熱板１６〜１８）にはヒーターが内蔵され、容器底部からの伝熱で加温を行なっている。
【０００５】
図２は前記紙容器の一例を側面から見た断面を示す図である。紙容器４１は筒状の胴体４２、蓋材４３、底部４４から成り、蓋材４３に設けられた開口部４５の周辺の加熱シール部を加熱してタブ材４６で密閉するものである。
【０００６】
しかしながら、加温什器装置の場合、図２に示すような紙を主とした材料で成型された紙容器４１を加熱する場合には、図３に示すように底部の成型で生じるかしめ部４７と、底部４４と熱板（例えば図１に示す熱板１６）に囲まれた部分は空洞部４８であるために断熱層となり加熱効率が悪い。また、かしめ部４７の熱板１６との接触部分４７ａは紙容器４１を成型するためにヒートシールで接着した部分（ヒートシール接着部）になっているため、成型で接着した部分がヒーターにより再度溶融し、内容物の漏れが生じてしまう可能性がある。
【０００７】
そこで本発明は、紙容器の底部４４を加熱しやすく、しかもかしめ部４７に熱が伝わりにくくする加温什器用アダプタを提供することを目的とする。
【課題を解決するための手段】
【０００８】
本発明の請求項１に係る発明は、
紙容器入りの飲料を熱板で暖める加温什器装置内で用いる加温什器用アダプタであって、
伝熱部と嵌合部で構成され、
伝熱部は第一の円形状を有する底部と、第二の円形状を有する上部とで構成され、底部
が熱板と接し、上部が紙容器の底材に接し、
嵌合部は前記伝熱部の第二の円形状を有する上部の側面に設けられた第一の嵌合部と第二の嵌合部とで構成され、
更に前記第一の嵌合部と第二の嵌合部は段差をもって設けられ、紙容器の底部に嵌合し、且つ断熱性を有することを特徴とする加温什器用アダプタである。
【発明の効果】
【０００９】
本発明による加温什器用アダプタによれば、紙容器の内容物を短時間で加温することが出来、更に従来加熱部に接触していた底部のヒートシール接着部が加熱部に接触しないために再度溶融することがなく、内容物の漏れの発生を防ぐことが出来る。
【図面の簡単な説明】
【００１０】
【図１】加温什器装置を示す図。
【図２】紙容器の一例を側面から見た断面を示す図。
【図３】加温什器装置を用いて紙を主とした材料で成型された紙容器を加熱する場合を示す図。
【図４】本発明の加温什器用アダプタの概略構成を示す図。
【図５】本発明の加温什器用アダプタを用いて紙容器の内容物を加熱する場合を示す図。
【図６】本発明に係る嵌合部と伝熱部を上方から見た図で、嵌合部の個数と大きさを説明するための図。（ａ）は第一の嵌合部と第二の嵌合部がそれぞれ1つの場合を示す図。（ｂ）は第一の嵌合部と第二の嵌合部がそれぞれ２つの場合を示す図。（ｃ）は第一の嵌合部と第二の嵌合部はそれぞれ１つの場合であって、図６（ａ）に示す第一の嵌合部と第二の嵌合部よりも大きな形状を持つ嵌合部を示す図。
【発明を実施するための形態】
【００１１】
以下、図面を参照して本発明の加温什器用アダプタを実施するための形態を説明する。
【００１２】
図４は本発明の加温什器用アダプタの概略構成を示す図である。本発明の加温什器用アダプタ５０は、伝熱部と嵌合部で構成され、伝熱部は第一の円形状を有する底部５１と、第二の円形状を有する上部５２とで構成されている。嵌合部は前記伝熱部の第二の円形状を有する上部の側面に設けられた第一の嵌合部５３と第二の嵌合部５４とで構成されている。
【００１３】
図５は本発明の加温什器用アダプタ５０を用いて紙容器４１の内容物を加熱する場合を示す図である。熱板１６によって加熱する場合を例として説明する。伝熱部を構成する第一の円形状を有する底部５１が熱板１６と接し、第二の円形状を有する上部５２が紙容器の底部４４に接している。また、第二の円形状を有する上部５２の厚みをかしめ部４７の縦寸法よりも厚くすることによって、符号５５で示すようにかしめ部４７は伝熱部の底部５１から浮かせることが出来、かしめ部４７は第一の円形状を有する底部５１によって熱せられることはない。そのため、かしめ部４７の接着した部分がヒーターにより再度溶融することはなく内容物の漏れが生ずることはない。伝熱部の材質はアルミのような熱伝導性の高いものであれば良く、これに限定されるものではない。
【００１４】
嵌合部を構成する前記第一の嵌合部５３と第二の嵌合部５４は段差をもって設けられている。また、第一の嵌合部５３と第二の嵌合部５４は紙容器のかしめ部４７に嵌合されるが、かしめ部４７との接触面積を少なくし、且つ断熱性を有する樹脂断熱材で作られている。
【００１５】
前記第一の嵌合部５３と第二の嵌合部５４は紙容器のかしめ部４７との接触面積が少な
くすることによって嵌合部から紙容器４１に伝わる熱量をより少なく抑えることが出来る。また、第一の嵌合部５３と第二の嵌合部５４が段差をもって設けられているため、紙容器の取り付け・取り外しを行う際に、紙容器の底部の傷つきを抑えることが出来る。
【００１６】
図６は前記嵌合部の例を示す図で、前記伝熱部と嵌合部を上方から見た上面図を示す。図６（ａ）は第一の嵌合部５３と第二の嵌合部５４がそれぞれ1つの場合を示す図である。図６（ｂ）は第一の嵌合部５３と第二の嵌合部５４がそれぞれ２つの場合であって伝熱部の上部５２の左右に第一の嵌合部５３ａと第二の嵌合部５４ｂと、第一の嵌合部５３ｂと第二の嵌合部５４ａと、を設けた場合を示す。図６（ｃ）は第一の嵌合部５３と第二の嵌合部５４はそれぞれ１つの場合であって、図６（ａ）に示す第一の嵌合部５３と第二の嵌合部５４よりも大きな形状を持つものである。このように第一の嵌合部５３と第二の嵌合部５４の個数と大きさは限定されるものではないが、紙容器のかしめ部４７に嵌合する部分の面積を小さくするような形状と大きさであれば良い。
【００１７】
紙容器４１を購入する需要者は紙容器４１を加温什器用アダプタ５０からはずし、はずされた加温什器用アダプタ５０は新たに販売店によって加熱対象の紙容器のかしめ部４７に嵌められる。このように加温什器用アダプタ５０は繰り返し使用することが出来る。
【００１８】
以上のように本発明の加温什器用アダプタによれば、紙容器の内容物を短時間で加温することが出来、更に従来加熱部に接触していた底部のヒートシール接着部が加熱部に接触しないために再度溶融することがなく、内容物の漏れの発生を防ぐことが出来、更に繰り返し使用することが出来る。
【符号の説明】
【００１９】
１・・・ケーシング
２・・・制御部
４・・・天板
５・・・正面部
６・・・一対の側面部
７・・・背面部
１６〜１８・・・熱板
３０ａ、３０ｂ・・・取っ手
３１ａ、３１ｂ・・・一対のドア
４１・・・紙容器
４２・・・筒状の胴体
４３・・・蓋材
４４・・・底部
４５・・・開口部
４６・・・タブ材
４７・・・かしめ部
４７ａ・・・接触部分
４８・・・空洞部
５０・・・加温什器用アダプタ
５１・・・第一の円形状を有する底部
５２・・・第二の円形状を有する上部
５３、５３ａ、５３ｂ・・・第一の嵌合部
５４、５４ａ、５４ｂ・・・・第二の嵌合部
【図１】
2015006241.tif 000003
【図２】
2015006241.tif 000004
【図３】
2015006241.tif 000005
【図４】
2015006241.tif 000006
【図５】
2015006241.tif 000007
【図６】
2015006241.tif 000008